(57)【特許請求の範囲】
【請求項１】
ワイヤレスボディエリアネットワークデータの処理方法であって、ワイヤレスボディエリアネットワークデータの処理装置に使用され、前記方法は、
サンプリング値参照範囲を受信又は生成することと、
ワイヤレスボディエリアネットワークデータの収集装置からサンプリングデータを受信し、サンプリングデータのサンプリング値に基づき前記サンプリングデータが属するサンプリング値参照範囲を判断することと、
前記サンプリングデータが属するサンプリング値参照範囲に基づき前記サンプリングデータを処理することと、を含み、
前記サンプリングデータが属するサンプリング値参照範囲に基づき前記サンプリングデータを処理することは、
前記サンプリングデータが属するサンプリング値参照範囲が、指定された正常サンプリング値範囲であり、且つ指定条件を満たすと、前記サンプリングデータを削除することを含み、
前記サンプリング値参照範囲が複数であり、異なるサンプリング値参照範囲は異なるコーディング精度に対応し、
前記サンプリングデータが属するサンプリング値参照範囲に基づき前記サンプリングデータを処理することは、
前記サンプリングデータが属するサンプリング値参照範囲に対応するコーディング精度に基づき前記サンプリングデータをコーディングすることを含むワイヤレスボディエリアネットワークデータの処理方法。
【請求項２】
前記サンプリングデータが属するサンプリング値参照範囲に対応するコーディング精度に基づき前記サンプリングデータをコーディングした後に、
各サンプリングデータのサンプリングコーディング値とサンプリング時間を記録して、サンプリングログを生成することと、
前記サンプリングログにおけるサンプリングデータコーディング値のコーディング精度情報とサンプリング時間情報に基づき前記サンプリングログの優先順位を確定し、前記優先順位が第１優先順位閾値より大きいと、データのサンプリング周期を短縮するように前記収集装置に通知し、前記優先順位が前記第１優先順位閾値以下であると、前記サンプリング周期をそのまま維持する又は前記サンプリング周期を延長するように前記収集装置に通知することと、を更に含む請求項１に記載の方法。
【請求項３】
前記サンプリングログにおけるサンプリングデータコーディング値のコーディング精度情報とサンプリング時間情報に基づき前記サンプリングログの優先順位を確定した後に、
前記優先順位が第２優先順位閾値より大きいと、データの伝送周期を短縮し、前記優先順位が第２優先順位閾値以下であると、前記伝送周期をそのまま維持する又は前記伝送周期を延長することを更に含む請求項２に記載の方法。
【請求項４】
0006257773.tif 000006
【請求項５】
ワイヤレスボディエリアネットワークデータの処理装置であって、
サンプリング値参照範囲を受信又は生成するように設定される第１モジュールと、
ワイヤレスボディエリアネットワークデータの収集装置からサンプリングデータを受信し、サンプリングデータのサンプリング値に基づき前記サンプリングデータが属するサンプリング値参照範囲を判断するように設定される第２モジュールと、
前記サンプリングデータが属するサンプリング値参照範囲に基づき前記サンプリングデータを処理するように設定される第３モジュールと、を備え、
前記第３モジュールが、前記サンプリングデータが属するサンプリング値参照範囲に基づき前記サンプリングデータを処理することは、前記サンプリングデータが属するサンプリング値参照範囲が、指定された正常サンプリング値範囲であり、且つ指定条件を満たすと、前記サンプリングデータを削除することを含むように設定され、
前記第１モジュールは、受信又は生成したサンプリング値参照範囲が複数であり、異なるサンプリング値参照範囲が異なるコーディング精度に対応するように設定され、
前記第３モジュールは、前記サンプリングデータが属するサンプリング値参照範囲に基づき前記サンプリングデータを処理するのは、前記サンプリングデータが属するサンプリング値参照範囲に対応するコーディング精度に基づき前記サンプリングデータをコーディングすることを含むように設定されるワイヤレスボディエリアネットワークデータの処理装置。
【請求項６】
前記第３モジュールは、前記サンプリングデータが属するサンプリング値参照範囲に対応するコーディング精度に基づき前記サンプリングデータをコーディングした後に、各サンプリングデータのサンプリングコーディング値とサンプリング時間を記録して、サンプリングログを生成することと、前記サンプリングログにおけるサンプリングデータコーディング値のコーディング精度情報とサンプリング時間情報に基づき前記サンプリングログの優先順位を確定し、前記優先順位が第１優先順位閾値より大きいと、データのサンプリング周期を短縮するように前記収集装置に通知し、前記優先順位が前記第１優先順位閾値以下であると、前記サンプリング周期をそのまま維持する又は前記サンプリング周期を延長するように前記収集装置に通知することと、を更に含むように設定される請求項５に記載の装置。
【請求項７】
前記第３モジュールは、前記サンプリングログにおけるサンプリングデータコーディング値のコーディング精度情報とサンプリング時間情報に基づき前記サンプリングログの優先順位を確定した後に、前記優先順位が第２優先順位閾値より大きいと、データの伝送周期を短縮し、前記優先順位が第２優先順位閾値以下であると、前記伝送周期をそのまま維持する又は前記伝送周期を延長することを更に含むように設定される請求項６に記載の装置。
【請求項８】
0006257773.tif 000007
【発明の詳細な説明】
【技術分野】
【０００１】
本発明は、ワイヤレス通信分野に関し、特にワイヤレスボディエリアネットワークデータの処理方法及び装置に関する。
【背景技術】
【０００２】
ワイヤレスボディエリアネットワーク（Wireless Body Area Network、ＷＢＡＮと略称する）は、人体を中心として、人体の各種の生理的パラメータを採集することを目的とし、人体表面に分布又は人体内部に植入するセンサー（Node（ノード））及び個人データ収集処理端末（Hub（中心）ノード）からなる通信ネットワークであり、体内から体内まで、体内から体表まで、体表から体表まで、体表から体外までなどの４種のシーンでの近距離、低消費電力、高信頼性及びバイオセキュリティーの双方向データ伝送を実現することができる。ワイヤレスボディエリアネットワークのデータ伝送過程は、Nodeにより人体データ情報を採集して、フレームにパッケージング（カプセル化）してHubノードに送信し、Hubノードにより処理分析して、後続の制御命令フィードバック及びデータ発信機能を完成することである。
【０００３】
Nodeは着用式又は植入式の小型センサー装置であり、通常の端末装置のようにタイムリーに充電してエネルギーを補充することができないため、ワイヤレスボディエリアネットワークノードの通信過程においてノードのエネルギー消費問題を考えなければならない。関連のワイヤレスボディエリアネットワーク通信方法は適切なエネルギー制御方策が少なく、また他の関連標準はノードの通信サービスに対して優先順位を区分するが、ノード伝送周期の具体的な制御方法を明確にしない。
【発明の概要】
【発明が解決しようとする課題】
【０００４】
本発明の解決しようとする技術的課題は、ワイヤレスボディエリアネットワークデータの処理方法及び装置を提供して、自動的にサンプリングデータの重要度を区分して、限られたリソースにおいてデータ処理の効率を向上させることである。
【課題を解決するための手段】
【０００５】
上記技術的課題を解決するために、本発明はワイヤレスボディエリアネットワークデータの処理方法を提供して、ワイヤレスボディエリアネットワークデータの処理装置に使用され、前記方法は、
サンプリング値参照範囲を受信又は生成することと、
ワイヤレスボディエリアネットワークデータの収集装置からサンプリングデータを受信し、サンプリングデータのサンプリング値に基づき前記サンプリングデータが属するサンプリング値参照範囲を判断することと、
前記サンプリングデータが属するサンプリング値参照範囲に基づき前記サンプリングデータを処理することと、を含む。
【０００６】
好ましくは、上記方法は、前記サンプリングデータが属するサンプリング値参照範囲に基づき前記サンプリングデータを処理することは、
前記サンプリングデータが属するサンプリング値参照範囲が、指定された正常サンプリング値範囲であり、且つ指定条件を満たすと、前記サンプリングデータを削除することを含む、という特徴をさらに有する。
【０００７】
好ましくは、上記方法は、
前記サンプリング値参照範囲は複数であり、異なるサンプリング値参照範囲は異なるコーディング精度に対応し、
前記サンプリングデータが属するサンプリング値参照範囲に基づき前記サンプリングデータを処理することは、
前記サンプリングデータが属するサンプリング値参照範囲に対応するコーディング精度に基づき前記サンプリングデータをコーディングすることを含む、という特徴をさらに有する。
【０００８】
好ましくは、上記方法は、前記サンプリングデータが属するサンプリング値参照範囲に対応するコーディング精度に基づき前記サンプリングデータをコーディングした後に、
各サンプリングデータのサンプリングコーディング値とサンプリング時間を記録して、サンプリングログを生成することと、
前記サンプリングログにおけるサンプリングデータコーディング値のコーディング精度情報とサンプリング時間情報に基づき前記サンプリングログの優先順位を確定し、前記優先順位が第１優先順位閾値より大きいと、データのサンプリング周期を短縮するように前記収集装置に通知し、前記優先順位が前記第１優先順位閾値以下であると、前記サンプリング周期を変えない又は前記サンプリング周期を延長するように前記収集装置に通知することと、をさらに含む、という特徴をさらに有する。
【０００９】
好ましくは、上記方法は、前記サンプリングログにおけるサンプリングデータコーディング値のコーディング精度情報とサンプリング時間情報に基づき前記サンプリングログの優先順位を確定した後に、
前記優先順位が第２優先順位閾値より大きいと、データの伝送周期を短縮し、前記優先順位が第２優先順位閾値以下であると、前記伝送周期を変えない又は前記伝送周期を延長することをさらに含む、という特徴をさらに有する。
【００１０】
0006257773.tif 000002
【００１１】
上記課題を解決するために、本発明はワイヤレスボディエリアネットワークデータの処理装置を更に提供し、
サンプリング値参照範囲を受信又は生成するように設定される第１モジュールと、
ワイヤレスボディエリアネットワークデータの収集装置からサンプリングデータを受信し、サンプリングデータのサンプリング値に基づき前記サンプリングデータが属するサンプリング値参照範囲を判断するように設定される第２モジュールと、
前記サンプリングデータが属するサンプリング値参照範囲に基づき前記サンプリングデータを処理するように設定される第３モジュールと、を備える。
【００１２】
好ましくは、上記装置は、
前記第３モジュールが、前記サンプリングデータが属するサンプリング値参照範囲に基づき前記サンプリングデータを処理することは、前記サンプリングデータが属するサンプリング値参照範囲が、指定された正常サンプリング値範囲であり、且つ指定条件を満たすと、前記サンプリングデータを削除することを含むように設定される、という特徴をさらに有する。
【００１３】
好ましくは、上記装置は、
前記第１モジュールは、受信又は生成したサンプリング値参照範囲が複数であり、異なるサンプリング値参照範囲は異なるコーディング精度に対応するように設定され、
前記第３モジュールが、前記サンプリングデータが属するサンプリング値参照範囲に基づき前記サンプリングデータを処理することは、前記サンプリングデータが属するサンプリング値参照範囲に対応するコーディング精度に基づき前記サンプリングデータをコーディングすることを含むように設定される、という特徴をさらに有する。
【００１４】
好ましくは、上記装置は、
前記第３モジュールは、前記サンプリングデータが属するサンプリング値参照範囲に対応するコーディング精度に基づき前記サンプリングデータをコーディングした後に、各サンプリングデータのサンプリングコーディング値とサンプリング時間を記録して、サンプリングログを生成することと、前記サンプリングログにおけるサンプリングデータコーディング値のコーディング精度情報とサンプリング時間情報に基づき前記サンプリングログの優先順位を確定し、前記優先順位が第１優先順位閾値より大きいと、データのサンプリング周期を短縮するように前記収集装置に通知し、前記優先順位が前記第１優先順位閾値以下であると、前記サンプリング周期を変えない又は前記サンプリング周期を延長するように前記収集装置に通知することと、をさらに含むように設定される、という特徴をさらに有する。
【００１５】
好ましくは、上記装置は、
前記第３モジュールは、前記サンプリングログにおけるサンプリングデータコーディング値のコーディング精度情報とサンプリング時間情報に基づき前記サンプリングログの優先順位を確定した後に、前記優先順位が第２優先順位閾値より大きいと、データの伝送周期を短縮し、前記優先順位が第２優先順位閾値以下であると、前記伝送周期を変えない又は前記伝送周期を延長することを更に含むように設定される、という特徴をさらに有する。
【００１６】
0006257773.tif 000003
【発明の効果】
【００１７】
以上のように、本発明の実施例はワイヤレスボディエリアネットワークデータの処理方法及び装置を提供して、自動的にサンプリングデータの重要度を区分でき、限られたリソースにおいてデータ処理の効率を向上させる。
【図面の簡単な説明】
【００１８】
【図１】図１は、本発明の実施例におけるワイヤレスボディエリアネットワークデータの処理方法のフローチャートである。
【図２】図２は、本発明の実施例におけるサンプリング値参照範囲の取得の模式図である。
【図３】図３は、本発明の実施例におけるサンプリング値参照範囲の模式図である。
【図４】図４は、本発明の実施例における生成したサンプリングログの模式図である。
【図５ａ】図５ａは、本発明の実施例における伝送周期Ｔの調整の模式図である。
【図５ｂ】図５ｂは、本発明の実施例における伝送周期Ｔの調整の模式図である。
【図６】図６は、本発明の実施例におけるサンプリング周期ｔの調整の模式図である。
【図７】図７は、本発明の実施例におけるワイヤレスボディエリアネットワークデータの処理装置の模式図である。
【発明を実施するための形態】
【００１９】
以下、図面を参照して本発明の実施例を詳細に説明する。なお、矛盾が生じない場合に、本願における実施例及び実施例における特徴は互いに任意に組み合わせることができる。
【００２０】
図１は、本発明の実施例におけるワイヤレスボディエリアネットワークデータの処理方法のフローチャートであり、該方法は、以下のステップ101〜103を含んでよい。
【００２１】
ステップ101、サンプリング値参照範囲を受信又は生成する。
【００２２】
Hubノードは、外部入力（シーン入力、人体サイン入力、地理的環境入力等）及び/又は内部入力（Nodeサンプリング値フィードバック）に応じて、該Nodeサンプリング値参照範囲を計算して取得し、該範囲はサンプリングデータの重要度を指示でき、可能な１種の参照範囲形式は、正常範囲、警告範囲及び異常範囲であり、図３に示す。Hubノードは、該参照範囲を該Nodeに送信し、図２に示す。
【００２３】
また、Nodeは、一定の機能サポートで、自体で外部入力（シーン入力、人体サイン入力、地理的環境入力等）及び/又は内部入力（Nodeサンプリング値フィードバック）に応じてサンプリング値参照範囲を生成することができ、Hubノードにより送信する必要がない。
【００２４】
ステップ102、ワイヤレスボディエリアネットワークデータの収集装置からサンプリングデータを受信し、サンプリングデータのサンプリング値に基づき前記サンプリングデータが属するサンプリング値参照範囲を判断する。
【００２５】
ステップ103、前記サンプリングデータが属するサンプリング値参照範囲に基づき前記サンプリングデータを処理する。
【００２６】
Nodeは、各回のサンプリングの後に、参照範囲に応じてサンプリングデータをコーディングし、低重要度範囲内でのサンプリング値は低コーディング精度を採用してコーディングし、高重要度範囲内でのサンプリング値は高コーディング精度を採用してコーディングする。このように、自動的にサンプリングデータの重要度を区分し、限られたリソースにおいてデータ処理の効率を向上させることができる。
【００２７】
本実施例において、低重要度のデータに対して、短い桁数ビットを採用してコーディングし、伝送オーバヘッドを節約でき、高重要度のデータに対して、長い桁数ビットを採用してコーディングし、データの精度を確保し、このように、データ伝送の効率を向上させることができる。
【００２８】
例えば、図３に示すように、正常範囲のサンプリング値は２個の桁数ビットを採用してコーディングし、警告範囲のサンプリング値は３個の桁数ビットを採用してコーディングし、異常範囲のサンプリング値は４個の桁数ビットを採用してコーディングする。
【００２９】
本実施例において、更にサンプリング値、サンプリング時間を順に記録して、サンプリングログを生成することができる。センサーのサンプリング周期は短くすることができるため、複数回のサンプリングデータを１つのデータセットに生成して、再び伝送でき、それにより伝送オーバヘッドを節約することができる。この間、更にこのデータセットを修正でき、例えば、データセットにおけるデータを削除し、このようにさらに伝送オーバヘッドを軽減することができる。例えば、サンプリングデータが正常範囲に属すると、削除でき、或いは、サンプリングデータが正常範囲に属すると判断し、正常範囲に属するサンプリングデータに対して１つ保留し、１つ削除でき、また複数保留して、次に正常範囲に属する複数のサンプリングデータを連続的に削除できる等がある。
【００３０】
Nodeは、さらに生成したサンプリングログにおけるエントリを削除でき、１種の可能な方法は、低コーディング精度のサンプリング値を適切に削除して、高コーディング精度のサンプリング値を保留することである。サンプリングログの削除は必要に応じてタイムリーに行い、例えば伝送時間が来る前の任意の時間である。
【００３１】
図４は、本発明の実施例における生成したサンプリングログの模式図であり、連続的に出現した低桁数ビットのサンプリング値を合併し（一部の２個の桁数ビットのデータエントリを削除する）、高桁数ビットのサンプリング値を保留し、データ伝送量を圧縮する。例えば、Nodeノードにより、Hubノードに人体心拍値を伝送する際に、正常範囲の心拍値に対して低コーディング精度のコード要素を採用してコーディングでき、それと同時に、適切にいくつかの正常範囲のサンプリング値を削除でき、異常値に対して高コーディング精度でコーディングし、これらの異常値も保留されて伝送を待つ。
【００３２】
本実施例において、データサンプリング周期と伝送周期を調整してもよく、データ伝送周期をＴとし、データサンプリング周期をｔとすると、Ｔとｔの調整方法は以下の通りであり、すなわち、
伝送周期Ｔ内で、Nodeはサンプリングログに含まれたサンプリング値の属性エントリ（例えばサンプリングデータのコーディング精度とサンプリング時間）に応じて、サンプリングログの優先順位Ｐを計算し、且つサンプリング周期ｔを調整し、Ｐが調整サンプリング周期ｔの調整閾値より大きい場合に、ｔを短縮し、逆の場合に、変えない（そのまま維持する）又はｔを延長する。
【００３３】
優先順位が閾値より大きい場合に、サンプリングが得たデータセット（即ちサンプリングログである）が高い伝送必要性と緊急性を有することを表すため、サンプリング周期を短縮してよりタイムリーなデータソースを取得し、逆に、優先順位が閾値より小さい場合に、サンプリングが得たデータ集がそれほど「重要」ではないことを表すため、現在のサンプリング周期を保持し或いは現在のサンプリング周期を延長してオーバヘッドを節約する役割を果たす。
【００３４】
本実施例において、サンプリング周期ｔの調整の実施形態は、以下の通りであり、すなわち、現在伝送周期Ｔ内で現在サンプリングログ優先順位とサンプリング周期ｔ調整閾値の関係に応じて次のサンプリング時間を変え、現在サンプリングログ優先順位がサンプリング周期ｔ調整閾値より大きい場合に、次のサンプリング時間が来る時間を短縮し、逆の場合に、次のサンプリング時間が来る時間を延長し、図６に示す。計算オーバヘッドを低下させるために、必ずしも各回のサンプリングの後、又は各伝送周期内でいずれもサンプリング周期ｔの調整方策を実行するとは限らない。
【００３５】
伝送時間が到達する前に、Nodeは、現在時間で計算したサンプリングログの優先順位Ｐに応じて、伝送周期Ｔを調整し、Ｐが伝送周期Ｔ調整閾値より大きい場合に、Ｔを短縮し、逆の場合に、変えない又はＴを延長する。 
【００３６】
優先順位が閾値より大きい場合に、サンプリングが得たデータセット（即ちサンプリングログである）が高い伝送必要性と緊急性を有することを表すため、伝送周期を短縮してHubノードにタイムリーにデータソースを取得させ、逆に、優先順位が閾値より小さい場合に、サンプリングが得たデータセットがそれほど「重要」ではないことを表すため、現在の伝送周期を保持し或いは現在の伝送周期を延長してオーバヘッドを節約する役割を果たす（Nodeは、Hubノードにサンプリングログを伝送する度に、NodeとHubノードにオーバヘッドをもたらし、伝送が頻繁であるほどオーバヘッドが大きくなり、リソースを消耗するからである）。
【００３７】
図４において、１つの最高コーディング精度のコード要素が存在するため、その優先順位が１に等しく、仮に伝送周期Ｔ調整閾値を0.5に調整すると、伝送周期Ｔを短縮すべきであり、可能な実施形態は、最も近い次のアクセスタイミングが来る際に、メディアにアクセスすることである。例えば、802.15.6における最も近いＥＡＰ（Exclusive Access Period、排他的アクセス期間）が来る際に直ちにHubノードに該サンプリングログからなるデータフレームを送信し、図５ａに示し、サンプリングログにおいて最低コーディング精度のコード要素のみが存在し、即ちサンプリング値がいずれも正常範囲内にあると、サンプリングログ優先順位が0に等しく、伝送周期Ｔ調整閾値が変わらないと、伝送周期Ｔを延長すべきであり、本実施例において、続いたアクセスタイミングを捨て、待ち続けることができる。例えば、802.15.6における次のＲＡＰ（Random Access Period、ランダムアクセス期間）又はＣＡＰ（Contention Access Period、コンテンションアクセス期間）が来る際に、該サンプリングログを有するNodeノードはランダムなコンテンション過程に参加しなく、図５ｂに示し、なお、サンプリングログの優先順位が0〜1にあると、伝送周期Ｔ調整閾値との関係に基づきアクセスタイミングを適切に選択すべきであり、伝送周期Ｔを調整する。
【００３８】
伝送時間が到達する際に、Nodeは、サンプリングログをデータフレームにパッケージング（カプセル化）し、且つ前記サンプリングログの優先順位に応じて該フレームの優先順位を定め、該フレームの優先順位がＰに比例する。その後、Nodeは、Hubノードに該データフレームを伝送する。
【００３９】
0006257773.tif 000004
【００４０】
サンプリング周期ｔは必ずしも各伝送周期Ｔ内又は各回のサンプリングの後にいずれも調整する必要があるとは限らなく、必要に応じて適切に調整でき、伝送周期Ｔを必ずしも毎回で調整する必要があるとは限らなく、必要に応じて適切に調整できる。
【００４１】
図７は、本発明の実施例におけるワイヤレスボディエリアネットワークデータの処理装置の模式図であり、図７に示すように、本実施例の装置は、
サンプリング値参照範囲を受信又は生成する第１モジュールと、
ワイヤレスボディエリアネットワークデータの収集装置からサンプリングデータを受信し、サンプリングデータのサンプリング値に基づき前記サンプリングデータが属するサンプリング値参照範囲を判断する第２モジュールと、
前記サンプリングデータが属するサンプリング値参照範囲に基づき前記サンプリングデータを処理する第３モジュールと、を備える。
【００４２】
好ましい実施例において、前記第３モジュールが、前記サンプリングデータが属するサンプリング値参照範囲に基づき前記サンプリングデータを処理することは、前記サンプリングデータが属するサンプリング値参照範囲が、指定された正常サンプリング値範囲であり、且つ指定条件を満たすと、前記サンプリングデータを削除することを含んでよい。
【００４３】
前記サンプリングデータが指定条件を満たすことは、前記サンプリングデータが正常範囲内における第偶数個のサンプリングデータに属し、或いは連続的な複数のサンプリングデータであること等を含むが、これに制限されない。
【００４４】
好ましい実施例において、前記第１モジュールは、受信又は生成したサンプリング値参照範囲が複数であり、異なるサンプリング値参照範囲が、異なるコーディング精度に対応し、
前記第３モジュールが、前記サンプリングデータが属するサンプリング値参照範囲に基づき前記サンプリングデータを処理することは、前記サンプリングデータが属するサンプリング値参照範囲に対応するコーディング精度に基づき前記サンプリングデータをコーディングすることを含んでよい。
【００４５】
好ましい実施例において、前記第３モジュールが、前記サンプリングデータが属するサンプリング値参照範囲に対応するコーディング精度に基づき前記サンプリングデータをコーディングした後に、各サンプリングデータのサンプリングコーディング値とサンプリング時間を記録して、サンプリングログを生成することと、前記サンプリングログにおけるサンプリングデータコーディング値のコーディング精度情報とサンプリング時間情報に基づき前記サンプリングログの優先順位を確定し、前記優先順位が第１優先順位閾値より大きいと、データのサンプリング周期を短縮するように前記収集装置に通知し、前記優先順位が前記第１優先順位閾値以下であると、前記サンプリング周期を変えない又は前記サンプリング周期を延長するように前記収集装置に通知することと、を更に含む。
【００４６】
好ましい実施例において、前記第３モジュールが、前記サンプリングログにおけるサンプリングデータコーディング値のコーディング精度情報とサンプリング時間情報に基づき前記サンプリングログの優先順位を確定した後に、前記優先順位が第２優先順位閾値より大きいと、データの伝送周期を短縮し、前記優先順位が第２優先順位閾値以下であると、前記伝送周期を変えない又は前記伝送周期を延長することを更に含む。
【００４７】
0006257773.tif 000005
【００４８】
当業者は、上記方法における全部又は一部のステップは、プログラムが関連のハードウェアに指令することにより完成することができ、前記プログラムはコンピュータ可読記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。対応的に、上記実施例における各モジュール／ユニットはハードウェアの形式で達成してよく、ソフトウェア機能モジュールの形式で達成してもよい。本発明はいずれの特定形式のハードウェアとソフトウェアの組み合わせに限定されたものではない。
【００４９】
以上のものは本発明の好ましい実施例に過ぎず、勿論、本発明はまたその他の様々な実施例を有し、当業者は本発明に基づき各種の対応な変更と変形を行うことができるが、これらの対応な変更と変形はいずれも本発明の添付請求項の保護範囲に属すべきである。
【産業上の利用可能性】
【００５０】
本発明の実施例は、従来の技術と比べて、以下の利点を有する。
1）環境、サイン等の条件に応じてサンプリング値参照範囲を調整し、該サンプリング値参照範囲に応じてサンプリングデータの重要度を評価し、サンプリング値コーディング値（即ちコーディング精度である）を設定し、このように直接にサンプリングデータの重要度を分かって、限られたリソースにおいてデータ処理効率を向上させることができる。
2）サンプリング値参照範囲に応じて、データの伝送量を圧縮し、ノードエネルギー消費を減少することができる。
3）サンプリング値優先順位に応じて、データサンプリング周期と伝送周期を調整し、ノードエネルギー消費を減少することができる。
【図１】
0006257773.tif 000008
【図２】
0006257773.tif 000009
【図３】
0006257773.tif 000010
【図４】
0006257773.tif 000011
【図５ａ】
0006257773.tif 000012
【図５ｂ】
0006257773.tif 000013
【図６】
0006257773.tif 000014
【図７】
0006257773.tif 000015